(57)【要約】      （修正有）【課題】設置や移動の際の搬送性に優れ、一般家庭でも本格的な設置工事をすることなく設置でき、しかも気軽に、低ランニングコストで岩盤浴を楽しむことができる岩盤浴装置を提供する。【解決手段】本考案の岩盤浴装置１では、使用者が横たわるベッド部に配置されかつ加熱されると遠赤外線を放射する遠赤外線放射部５と、遠赤外線放射部５を下方から加熱する発熱部３と、遠赤外線放射部５と発熱部３を受け容れる凹状受容部２ａを有する装置本体２とが設けられ、発熱部３の下方に発熱部３の放出熱を蓄熱する蓄熱部４が設置されている。【選択図】図２
0003138157.tif 000002
【実用新案登録請求の範囲】
【請求項１】
使用者が横たわるベッド部に配置されかつ加熱されると遠赤外線を放射する遠赤外線放射部と、
該遠赤外線放射部を下方から加熱する発熱部と、
前記遠赤外線放射部と前記発熱部を受け容れる受容部を有する装置本体と、
が設けられ、
前記発熱部の下側に該発熱部の放出熱を蓄熱する蓄熱部が設置されていることを特徴とするポータブル岩盤浴装置。
【請求項２】
前記装置本体に対して、前記遠赤外線放射部と前記蓄熱部とが着脱可能とされていることを特徴とする請求項１に記載のポータブル岩盤浴装置。
【請求項３】
前記遠赤外線放射部が板状の分割部材またはシート状のシート部材によって構成されていることを特徴とする請求項１または請求項２に記載のポータブル岩盤浴装置。
【請求項４】
前記蓄熱部が板状の分割部材によって構成されていることを特徴とする請求項１ないし請求項３に記載のポータブル岩盤浴装置。
【請求項５】
前記遠赤外線放射部がブラックシリカを含有していることを特徴とする請求項１ないし請求項４に記載のポータブル岩盤浴装置。
【請求項６】
前記蓄熱部が、炭と骨材と珪藻土とを水硬性物質に配合した形成体であることを特徴とする請求項１ないし請求項５に記載のポータブル岩盤浴装置。
【請求項７】
移動のためのキャスターが前記装置本体に設けられていることを特徴とする請求項１ないし請求項６に記載のポータブル岩盤浴装置。
【請求項８】
水を加熱する熱源と、該熱源により加熱された温水を循環させる循環ポンプと、該循環ポンプから排出される温水を流通させる温水配管とを有する温水循環システムが設けられ、
前記発熱部が前記温水配管によって構成されていることを特徴とする請求項１ないし請求項７に記載のポータブル岩盤浴装置。
【請求項９】
前記発熱部が電熱ヒーターによって構成されていることを特徴とする請求項１ないし請求項７に記載のポータブル岩盤浴装置。
【考案の詳細な説明】
【技術分野】
【０００１】
本考案は、一般家庭でも使用可能な岩盤浴装置に関する。
【背景技術】
【０００２】
従来から、岩盤浴のための様々な岩盤浴装置が知られている（特許文献１等参照）。
【０００３】
岩盤浴とは、岩石を使用して作られた温熱台の上に横たわって汗をかくことを目的としたサウナ形式の風呂の一種であり、この加熱された岩石から放射される遠赤外線をからだに浴びて、遠赤外線による温熱効果により発汗を促すことにより、代謝をよくして健康を増進させるものである。
【０００４】
特許文献１には、面状のヒーターの表面側に鉱石を含有したモルタル板が配置され、面状のヒーターの背面側に断熱材が設けられた可搬式簡易ラジウム岩盤浴ベッドが提案されている。
【特許文献１】特開２００７−１１７６８２号公報
【考案の開示】
【考案が解決しようとする課題】
【０００５】
ところで、従来、岩盤浴は、岩盤浴の専用設備を備えたスパや大型入浴施設などの特別な施設に足を運ばないと利用できず、その都度、高額の入浴料を支払わなければならないために、それほど気軽に利用できるものではなかった。
【０００６】
また、自宅に、このような設備を設けるためには、比較的広い設置スペースと、高額な設置費用とが必要となるだけでなく、高額のランニングコストを必要とするという問題があった。
【０００７】
これに対して、特許文献１の可搬式簡易ラジウム岩盤浴ベッドは、一般家庭での使用を前提に構成されている。
【０００８】
しかしながら、特許文献１の発明では、電熱ヒーターの背面側に断熱材が設けられているものの、電熱ヒーターの背面側から放出される熱を必ずしも有効に利用しているものではなく、一般家庭で使用するには、ランニングコストが増大してしまうおそれがあった。
【０００９】
そこで、設置や移動の際の搬送性に優れ、一般家庭でも本格的な設置工事をすることなく設置でき、しかも気軽に、低ランニングコストで岩盤浴を楽しむことができる岩盤浴装置を提供することを目的にしている。
【課題を解決するための手段】
【００１０】
上記目的を達成するために請求項１に記載の考案は、使用者が横たわるベッド部に配置されかつ加熱されると遠赤外線を放射する遠赤外線放射部と、
該遠赤外線放射部を下方から加熱する発熱部と、
前記遠赤外線放射部と前記発熱部を受け容れる受容部を有する装置本体と、
が設けられ、
前記発熱部の下側に該発熱部の放出熱を蓄熱する蓄熱部が設置されているポータブル岩盤浴装置を特徴としている。
【００１１】
そして、請求項２に記載の考案は、前記装置本体に対して、前記遠赤外線放射部と前記蓄熱部とが着脱可能とされている請求項１に記載のポータブル岩盤浴装置を特徴としている。
【００１２】
また、請求項３に記載の考案は、前記遠赤外線放射部が板状の分割部材またはシート状のシート部材によって構成されている請求項１または請求項２に記載のポータブル岩盤浴装置を特徴としている。
【００１３】
さらに、請求項４に記載の考案は、前記蓄熱部が板状の分割部材によって構成されている請求項１ないし請求項３に記載のポータブル岩盤浴装置を特徴としている。
【００１４】
そして、請求項５に記載の考案は、前記遠赤外線放射部がブラックシリカを含有している請求項１ないし請求項４に記載のポータブル岩盤浴装置を特徴としている。
【００１５】
また、請求項６に記載の考案は、前記蓄熱部が、炭と骨材と珪藻土とを水硬性物質に配合した形成体である請求項１ないし請求項５に記載のポータブル岩盤浴装置を特徴としている。
【００１６】
さらに、請求項７に記載の考案は、移動のためのキャスターが前記装置本体に設けられている請求項１ないし請求項６に記載のポータブル岩盤浴装置を特徴としている。
【００１７】
そして、請求項８に記載の考案は、水を加熱する熱源と、該熱源により加熱された温水を循環させる循環ポンプと、該循環ポンプから排出される温水を流通させる温水配管とを有する温水循環システムが設けられ、
前記発熱部が前記温水配管によって構成されている請求項１ないし請求項７に記載のポータブル岩盤浴装置を特徴としている。
【００１８】
また、請求項９に記載の考案は、前記発熱部が電熱ヒーターによって構成されている請求項１ないし請求項７に記載のポータブル岩盤浴装置を特徴としている。
【考案の効果】
【００１９】
このように構成された本考案の請求項１のものは、蓄熱部が発熱部の下側に設置されているので、発熱部から下方に放射される熱を蓄熱して有効利用することができるので、熱のエネルギーを無駄にせず、結果として、低ランニングコストで岩盤浴を楽しむことができる。
【００２０】
また、蓄熱体の熱容量は比較的大きいので、熱源の温度が変化しても、使用者の人体と直接に接触する遠赤外線放射部の温度変化はなだらかなものとなり、急激な温度変化が生じないので、使用者の体に優しく、しかも、使用者が高温により火傷を負ってしまう危険性などを回避でき、安全に使用することができる。
【００２１】
特に、発熱部の温度制御がＯＮ／ＯＦＦ制御されている場合には、上述の温度変化のスムーズさが有効となる。
【００２２】
そして、本考案の請求項２のものは、装置本体に対して、遠赤外線放射部と蓄熱部とが、着脱可能となっているので、設置や移動の際に、遠赤外線放射部と蓄熱部とを装置本体から取り外した状態で搬送できるので、一般家庭でも本格的な搬送作業や設置工事をすることなく、本装置を購入して気軽に岩盤浴を楽しむことができる。
【００２３】
また、本考案の請求項３のものは、遠赤外線放射部が板状の分割部材またはシート状のシート部材によって構成されているので、これらを分割して搬送することが可能となり、請求項１の岩盤浴装置に比べて一層、設置や移動の際の搬送性に優れたものとなる。
【００２４】
さらに、本考案の請求項４のものは、蓄熱部が板状の分割部材によって構成されているので、これらを分割して搬送することが可能となり、請求項１の岩盤浴装置に比べて一層、設置や移動の際の搬送性に優れたものとなる。
【００２５】
そして、本考案の請求項５のものは、遠赤外線放射部にブラックシリカを含んでいるので、ブラックシリカから放射されるスーパー遠赤外線による人体組織の昇温効果、さらには、それによる発汗効果により、使用者の新陳代謝を促進し、使用者の健康維持に役立てることができる。
【００２６】
特に、遠赤外線放射部に、ブラックシリカを混練した樹脂シートなどを使用すれば、本装置全体が軽量化され、一層搬送性が高まる。
【００２７】
また、本考案の請求項６のものは、蓄熱部が、炭と骨材と珪藻土とを水硬性物質に配合した形成体であるので、蓄熱体の珪藻土による吸湿性および炭による脱臭効果により、使用者の汗や汗の臭いがある程度吸収されて衛生的である。
【００２８】
さらに、本考案の請求項７のものは、移動のためのキャスターが装置本体に設けられているので、搬送時のみならず、日常の使用時の可搬性に優れ、使い勝手がよい。
【００２９】
そして、本考案の請求項８のものは、遠赤外線放射部と熱源との間に温水配管系を介することによって、循環ポンプや熱源などに給電する電気系統から、使用者が横たわる遠赤外線放射部を電気的に隔絶することにより、使用者が感電する危険性を回避することができる。
【００３０】
しかも、発熱部を循環する水自体も比較的高い蓄熱性を有しているので、蓄熱性が高まり、請求項１のポータブル岩盤浴装置に比べて、一層、熱のエネルギーを有効利用でき、このため、省エネルギーとなり、結果として、低ランニングコストで岩盤浴を楽しむことができる。
【００３１】
さらに、発熱部を循環する水自体の熱容量により、加熱系全体の熱容量が高まるので、請求項１のポータブル岩盤浴装置に比べて、一層、温度変化がスムーズとなるだけでなく、発熱部を電熱ヒーターなどとして、遠赤外線放射部を直接加熱する場合に比べて、遠赤外線放射部への熱の伝達速度が遅延するので、温度の変化が一層スムーズとなって、火傷の危険性などが回避でき、一層安全に装置を使用することができる。
【００３２】
また、本考案の請求項９のものは、発熱部が電熱ヒーターによって構成されているので、請求項８に係る発熱部に比べて構成が単純になり軽量かつコンパクトになるので、軽量化と、これに伴う一層の可搬性を発揮することができる。
【考案を実施するための最良の形態】
【００３３】
以下、本考案を実施例に基づいて説明する。
【実施例】
【００３４】
図１は本考案のポータブル岩盤浴装置の斜視図であり、図２は分解斜視図である。
【００３５】
図１において、符号１は本考案のポータブル岩盤浴装置を示している。
【００３６】
図２に示すように、ポータブル岩盤浴装置１は、装置本体２と、蓄熱部３と、発熱部としての温水配管４と、遠赤外線放射部５とを有している。
【００３７】
本実施例に係る装置本体２は、概ね合板によって構成されており、外観視が略直方体形状を呈している。
【００３８】
装置本体２の外形寸法は、図１に示すように、長さＬ約１９００ｍｍ×幅Ｗ約６５０ｍｍ×高さＨ約３００ｍｍであり、装置本体２は、一人用の岩盤浴装置１を構成している。
【００３９】
装置本体２が、この外形寸法であれば、一般家庭のドアや階段などを通すことができるので、ポータブル岩盤浴装置１の可搬性を十分に発揮することができる。
【００４０】
装置本体２には、使用者が横たわるベッド部Ｂと、図２に示すように、ベッド部Ｂの平面視略中央部に蓄熱部３と温水配管４と遠赤外線放射部５とを受け容れる平面視矩形形状の凹状受容部２ａと、後述する温水循環システムなどを納める収納空間２ｂとが設けられている。
【００４１】
また、装置本体２の底部の四隅付近には、移動用の４個のキャスターＣが設けられている。
【００４２】
蓄熱部３は、複数の分割部材としての蓄熱体３ａによって構成されており、図３に示すように、受容部２ａの底部には８個の蓄熱体３ａが敷き詰められ、これらの蓄熱体３ａの隙間にコーキング剤が充填されている。
【００４３】
図４（ａ）に示すように、蓄熱体３ａは、平面視矩形形状の略直方体形状を呈しており、蓄熱体３ａのサイズは、１枚のサイズは、長さ３００ｍｍ×幅３００ｍｍ（または２５０ｍｍ）×厚さ３０ｍｍである。
【００４４】
蓄熱体３ａは、セメントなどの水硬性物質に、珪藻土と炭と骨材とを配合して、板状に成形したものである。本実施例に係る蓄熱体３ａは、本考案の考案者自ら考案した蓄熱体（実用新案登録第３１１６１８２号参照）と同様のものである。
【００４５】
蓄熱体３ａは、加熱されると、水硬性物質、珪藻土、炭、骨材により、遠赤外線やマイナスイオンが発生し、さらには、吸湿性、脱臭性および断熱性が付加されて、使用者の汗をある程度吸収し、汗の臭いを防止することができる。
【００４６】
また、炭の遠赤外線による温熱効果と珪藻土の断熱性で蓄熱効果が強化され、ランニングコストの削減を図ることができる。
【００４７】
蓄熱体３ａには、一対の配管溝３ｂ，３ｂが設けられており、各一対の配管溝３ｂ，３ｂには、温水循環パイプとしてのビニル製の温水配管４が配設されている。
【００４８】
なお、蓄熱体を、例えば、ポリスチレンフォーム板のような合成樹脂発泡板によって構成してもよい。この場合、上述のセメントを使用した蓄熱体３ａに比べて軽量化できる。
【００４９】
そして、図３に示すように、温水配管４が配設された８個の蓄熱体３ａの上には、遠赤外線放射部５の分割部材としての８個のプレート盤５ａが敷き詰められている。
【００５０】
蓄熱体３ａにより構成される蓄熱部３は、温水配管４の放出熱を蓄熱する温水配管４の下側に設置されており、温水配管４から下方に放射される熱を蓄熱して利用するようになっている。
【００５１】
一方、遠赤外線放射部５は、温水配管４の上部に配置しているので、温水配管４により下方から加熱される。
【００５２】
図１に示すように、遠赤外線放射部５は、使用者が横たわるベッド部Ｂに配置されており、この遠赤外線放射部５は加熱されると遠赤外線を放射する。
【００５３】
本考案では、遠赤外線放射部５が、板状の分割部材としての８個のプレート盤５ａによって構成されている。
【００５４】
図４に示すように、本考案に係るプレート盤５ａは、１枚あたり４ｋｇのモルタルに対して、粒状のブラックシリカ（図４の（ｂ）参照）または片状ブラックシリカ（図４の（ｃ）参照）を３ｋｇを含んだ１枚あたりトータル７ｋｇの方形形状の板材であり、これを８枚使用する。
【００５５】
プレート盤５ａのサイズは、１枚のサイズは、長さ３００ｍｍ×幅３００ｍｍ（または２５０ｍｍ）×厚さ３０ｍｍである。
【００５６】
なお、遠赤外線放射部５は、ブラックシリカを含んだ一枚板（図５参照）であってもよい。
【００５７】
また、遠赤外線放射部５は、遠赤外線を放射し、マイナスイオンを発生する鉱物を含有しているか、または、コーティングするなどしたプレート部材、または、シート部材（布、不織布、合成樹脂、ゴムなどのシート）であってもよい。
【００５８】
ここで、ブラックシリカ、および、ブラックシリカが放射するスーパー遠赤外線について説明する。
【００５９】
一般に、熱作用を示す波長約０．８μｍ〜１０００μｍの赤外線のうち、特に、波長約４μｍ〜１０００μｍの赤外線を遠赤外線と呼び、さらに、遠赤外線のうち、波長約４μｍ〜１４μｍのスーパー遠赤外線（または、生育線）と呼ぶ。
【００６０】
スーパー遠赤外線は、動植物を構成している物質の共鳴吸収波長域となっており、生体細胞への高い共鳴吸収特性が確認されている。
【００６１】
本考案のポータブル岩盤浴装置１に使用されるブラックシリカは、スーパー遠赤外線域における分光放射率が高いことが確認されている。具体的には、遠赤外線放射率が約３９℃で最大放射率９８％となる。
【００６２】
本考案のポータブル岩盤浴装置１に係る温水配管４は、温水が循環する温水配管４からの放熱によって加熱される温水循環タイプであり、ポータブル岩盤浴装置１の内部に内蔵された自立型の温水循環システムとなっている。
【００６３】
図２に示すように、本考案のポータブル岩盤浴装置１に係る温水循環システムは、小型電気給湯器８と、小型ポンプ９と、上述の温水配管４とを有している。
【００６４】
小型電気給湯器８は、循環させる水を加熱する熱源であり、小型ポンプ９は、小型電気給湯器８により加熱された温水を循環させる。
【００６５】
小型電気給湯器８によって供給される温水を温水配管４によって、蓄熱部３と遠赤外線放射部５との間に流通させることにより、蓄熱部３と遠赤外線放射部５とを加熱するようになっている。
【００６６】
なお、熱源には、比較的効率のよい熱交換機を用いてもよいし、温水配管４は、例えば、金属製のフレキシブル管であってもよい。
【００６７】
金属製のフレキシブル管は高価で、しかも柔軟性が樹脂製のホースなどに比べ乏しいために組立施工性は損なわれるが、金属製の方が熱伝導性がよく熱効率がよい。
【００６８】
また、前記温水循環システムには、図示省略の温度コントローラーが設けられており、温水配管４の温度を使用者の所望の温度に設定可能としている。
【００６９】
なお、本実施例では、発熱部としての温水配管４に供給される熱は、前記温水循環システムの小型電気給湯器８により供給されるが、温水配管４の代わりに、面状発熱体や電熱線などによって供給されてもよい。
【００７０】
〈組立方法〉
次に、本考案のポータブル岩盤浴装置１の設置時の組立方法について述べる。
【００７１】
まず、図２に示すように、装置本体２に形成された収納空間２ｂに、小型電気給湯器８と、小型ポンプ９とを取り付け、温水配管４や金属製のフレキシブル管によって接続し、温水の循環路を形成する。
【００７２】
なお、小型電気給湯器８と小型ポンプ９との設置は製品の出荷前になされていてもよい。
【００７３】
次に、図３に示すように、蓄熱体３ａの各配管溝３ｂが装置本体２の長手方向に沿うように、８個の蓄熱体３ａを、装置本体２に形成された凹状受容部２ａに敷き詰め、これらの隙間に防水コーキング剤などを充填する。
【００７４】
そして、ポータブル岩盤浴装置１の長手方向両側に位置する一対の仕切り板２ｃ，２ｄに設けられた図２に示す各４個の挿通孔２ｅ，２ｆに温水配管４を通しつつ、温水配管４を図３に示す各配管溝３ｂに配管する。
【００７５】
次に、温水配管４の両端部のうち一端を小型電気給湯器８の給湯口に接続し、温水配管４の両端部のうち他端を小型ポンプ９に接続された給水栓１０に接続する。
【００７６】
また、小型電気給湯器８と小型ポンプ９とを金属製のフレキシブル管などによって接続する。
【００７７】
なお、給水栓１０には、本装置に循環させる水を補給するための吸水口１０ａが設けられている。
【００７８】
次に、温水配管４が配設された状態で、各蓄熱体３ａ上に８枚のプレート盤５ａを配置する。
【００７９】
必要とあれば、これらのプレート盤５ａの隙間に防水コーキング剤を充填してもいが、プレート盤５ａの間に僅かな隙間があった方が、本考案の蓄熱体３ａが有する防臭作用などが有効に作用する。
【００８０】
本考案のポータブル岩盤浴装置１では、装置本体２に対して、蓄熱部３と遠赤外線放射部５とが固定されずに着脱可能となっており、しかも、温水配管４の両端の接続部も容易に着脱できるので、設置や移動の際に、蓄熱部３と遠赤外線放射部５とを装置本体２から取り外した状態で搬送できる。
【００８１】
〈使用方法〉
本考案のポータブル岩盤浴装置１を使用する際には、コンセント（図示省略）を差し込み、電源スイッチ（図示省略）をＯＮにして、設定温度を所望の温度に設定して、遠赤外線放射部５が、ある程度、暖まったら、ベッド部Ｂ上に横たわる。
【００８２】
〈作用効果〉
本考案のポータブル岩盤浴装置１に係る装置本体２の外形寸法は、長さＬ約１９００ｍｍ×幅Ｗ約６５０ｍｍ×高さＨ約３００ｍｍであり、装置本体２は一人用の岩盤浴装置を構成している。
【００８３】
装置本体２が、この寸法であれば、一般家庭のドアや階段などを通すことができるので、本装置の搬送性能を十分に発揮することができる。
【００８４】
また、遠赤外線放射部５だけでなく、蓄熱部３も分割可能かつ着脱可能となっているので、導入時の可搬性および組立施工性がよい。
【００８５】
そして、温水循環システムは、一般に組立施工に手間が掛かるであるが、本考案のポータブル岩盤浴装置１に係る温水循環システムは、温水循環システムであっても、温水配管４の両端部を、小型電気給湯器８と小型ポンプ９とに差し込み、予め蓄熱体３ａに形成された配管溝３ｂに沿って配管するだけでよいので、組立施工が容易であり、設置現場でも短時間で組立が可能である。
【００８６】
さらに、蓄熱部３が発熱部としての温水配管４の下方に設置されているので、発熱部としての温水配管４から下方に放射される熱を蓄熱して有効利用することができるので、熱のエネルギーを無駄にせず、結果として、低ランニングコストで岩盤浴を楽しむことができる。
【００８７】
また、蓄熱体３ａの熱容量は比較的大きいので、熱源の温度が変化しても、使用者の人体と直接に接触する遠赤外線放射部５の温度変化はなだらかなものとなり、急激な温度変化が生じないので、使用者の体に優しく、しかも、使用者が高温により火傷を負ってしまう危険性などを回避でき、安全に使用することができる。
【００８８】
特に、発熱部としての温水配管４の温度制御がＯＮ／ＯＦＦ制御されている場合には、上述の温度変化のスムーズさが有効となる。
【００８９】
そして、装置本体２に対して、遠赤外線放射部５と蓄熱部３とが、着脱可能となっているので、設置や移動の際に、遠赤外線放射部５と蓄熱部３とを装置本体２から取り外した状態で搬送できるので、一般家庭でも本格的な搬送作業や設置工事をすることなく、本装置を購入して気軽に岩盤浴を楽しむことができる。
【００９０】
また、遠赤外線放射部５が板状のプレート盤５ａまたはシート状のシート部材（図示省略）によって構成されているので、これらを分割して搬送することが可能となり、一層、設置や移動の際の搬送性に優れたものとなる。
【００９１】
しかも、遠赤外線放射部５に、ブラックシリカを混練した樹脂シートなどを使用すれば、本装置全体が軽量化され、一層搬送性が高まる。
【００９２】
さらに、蓄熱体３ａには、熱源となる温水配管４などを保持する配管溝３ｂが形成されているので、組み立ての際に容易に配管作業が行える。
【００９３】
そして、遠赤外線放射部５にブラックシリカを含んでいるので、ブラックシリカから放射されるスーパー遠赤外線による人体組織の温熱効果、さらには、それによる発汗効果により、使用者の新陳代謝を促進し、使用者の健康維持に役立てることができる。
【００９４】
遠赤外線放射部５がブラックシリカを含んだプレート盤５ａにより構成されているので、ブラックシリカにより放出されるスーパー遠赤外線の温熱効果により、体の芯まで温まり、優れた岩盤浴による発汗作用を発揮する。
【００９５】
ブラックシリカは、他の岩石などと比べ生育光線の放射強度が強いので、人体細胞に直接無駄なく働きかけ、同じ熱量で加熱しても高い効果が得られるので、結果として装置全体の高効率化が達成できる。
【００９６】
さらに、ブラックシリカは、加熱するとマイナスイオンが発生することが知られており、マイナスイオンの界面活性作用により、水のクラスターを小さくする作用がある。
【００９７】
この作用と、遠赤外線による共鳴作用との協働作用により、水のクラスターを一層小さくする効果があり、使用者がかいた汗がサラサラして蒸発しやすく、汗による体温の冷却効果が高い。
【００９８】
また、遠赤外線放射部５と熱源との間に温水配管系を介することによって、循環ポンプや熱源などに給電する電気系統から、使用者が横たわる遠赤外線放射部５を電気的に隔絶することにより、使用者が感電する危険性を回避することができる。
【００９９】
しかも、発熱部としての温水配管４を循環する水自体も比較的高い蓄熱性を有しているので、蓄熱性が高まり、電熱ヒーターなどを使用した場合に比べて、一層、熱のエネルギーを有効利用でき、このため、省エネルギーとなり、結果として低ランニングコストで岩盤浴を楽しむことができる。
【０１００】
さらに、発熱部としての温水配管４を循環する水自体の熱容量により、加熱系全体の熱容量が高まるので、電熱ヒーターなどを使用した場合に比べて、一層、温度変化がスムーズとなるだけでなく、遠赤外線放射部５への熱の伝達が遅延するので、温度の変化が一層スムーズとなって、火傷の危険性などが回避でき、一層安全に装置を使用することができる。
【０１０１】
そして、蓄熱体３ａの珪藻土による吸湿性および炭による脱臭効果により、使用者の汗や汗の臭いがある程度吸収されて衛生的である。
【０１０２】
また、移動のためのキャスターＣが装置本体２に設けられているので、搬送時のみならず、日常の使用時の可搬性に優れ、使い勝手がよい。
【０１０３】
さらに、発熱部としての温水配管４が電熱ヒーター（図示省略）によって構成された場合には、本実施例の温水循環システムに比べて構成が単純になり、軽量かつコンパクトとなるので、軽量化と、これに伴う一層の可搬性を発揮することができる。
【０１０４】
また、量産により低価格化が可能となれば、本考案のポータブル岩盤浴装置１全体を１つのユニットとして使用することにより、設置コストの削減が図れる。
【０１０５】
しかも、本考案のポータブル岩盤浴装置１の構成では、装置本体２の設計サイズ、ポンプの圧力、ヒーターの発熱量などの僅かな設計変更により、例えば、小型化して足専用の岩盤浴装置や、逆に、大型化して体が大きい人用の岩盤浴装置、２人用の岩盤浴装置を作ることも容易である。
【０１０６】
以上、実施例に基づいて本考案を説明してきたが、具体的な構成については、この実施例に限られるものではなく、特許請求の範囲の各請求項に係る考案の要旨を逸脱しない限り、設計の変更や追加等は許容される。
【０１０７】
なお、本考案のポータブル岩盤浴装置１は、一般家庭での使用を前提にしているが、小規模な複合型の健康施設や、福祉施設、スポーツ施設などの、１コーナーに設置して使用してもよい。
【図面の簡単な説明】
【０１０８】
【図１】本考案のポータブル岩盤浴装置の斜視図である。
【図２】本考案のポータブル岩盤浴装置の分解斜視図である。
【図３】本考案のポータブル岩盤浴装置の分解斜視図であり、設置時の組立方法を説明する図である。
【図４】本考案のポータブル岩盤浴装置に係る蓄熱体および遠赤外線放射部のプレート盤の斜視図であり、（ａ）は蓄熱体、（ｂ）は粒状のブラックシリカを含有するタイプのプレート盤の図、（ｃ）は片状のブラックシリカを含有するタイプのプレート盤の図である。
【図５】本考案のポータブル岩盤浴装置に係るブラックシリカを含有する一枚板タイプのプレート盤の斜視図である。
【符号の説明】
【０１０９】
１      ポータブル岩盤浴装置
２      装置本体
２ａ    凹状受容部（受容部）
３      蓄熱部
３ａ    蓄熱体（蓄熱部の分割部材）
４      発熱部
４      温水配管
５      遠赤外線放射部
５ａ    プレート盤（遠赤外線放射部の分割部材）
８      小型電気給湯器（熱源）
９      小型ポンプ（循環ポンプ）
Ｂ      ベッド部
Ｃ      キャスター
【図１】
0003138157.tif 000003
【図２】
0003138157.tif 000004
【図３】
0003138157.tif 000005
【図４】
0003138157.tif 000006
【図５】
0003138157.tif 000007